(57)【要約】  【課題】      収納物を収納することができる枕を提供する。  【解決手段】  本件発明に係る枕(10)は、上層クッション部(12)と下層クッション部(14)とを備えており、上層クッション部(12)と下層クッション部(14)との間には、収納物(A)を収納する収納部(16)が形成されている。  これにより、収納物(A)が、上層クッション部(12)と下層クッション部(14)とによって挟み込まれるようにして収納されるので、収納部(16)内で収納物(A)が移動し難く、枕(10)の内部で不快音が発生したり、収納物(A)が破損したりするのを防止できる。【選択図】      図１
2007029294.tif 000002
【特許請求の範囲】
【請求項１】
上層クッション部と、下層クッション部とを備える枕であって、
前記上層クッション部と前記下層クッション部との間には、これらのクッション部によって収納物を挟持可能なように収納部が形成されている、枕。
【請求項２】
前記収納部は、前記上層クッション部と前記下層クッション部との間に取り付けられた柔軟性を有する袋状体によって構成されている、請求項１に記載の枕。
【請求項３】
前記上層クッション部の中央部の直下に前記収納部の最奥端部が配置されている、請求項１または２に記載の枕。
【請求項４】
収納物を収納する袋状の収納部と、前記収納部の上方に配設された袋状の枕収容部と、前記収納部の下方に配設されたクッション材とを備える、枕カバー。
【請求項５】
前記枕収容部の中央部の直下に前記収納部の最奥端部が配置されている、請求項４に記載の枕カバー。
【発明の詳細な説明】
【技術分野】
【０００１】
本発明は、貴重品や携帯電話などの収納物を収納することのできる枕に関する。
【背景技術】
【０００２】
火事、地震または風水害などの災害が発生したとき、被災者は、印鑑や通帳などの貴重品を持って迅速に避難する必要がある。しかし、現実には、精神的余裕が無くなることから、貴重品を持ち出すことは容易ではない。一方、就寝中に災害が発生した場合には、気が動転するあまり、枕や目覚まし時計などの手近にあるものを無意識に手にとって避難することがよくある。
【０００３】
そこで、従来では、「避難の際に貴重品を持ち出す可能性を高めること」を目的として、貴重品を収納することのできる枕が開発されており、その一例が、特許文献１に開示されている。
【特許文献１】実開昭５７−８１６７９公報
【発明の開示】
【発明が解決しようとする課題】
【０００４】
特許文献１に開示された従来の枕(1)よれば、筒体(2)によって確保された一定容量の収納空間内に収納物(3)を収納することができる。
【０００５】
ところが、収納したいと考える収納物(3)の大きさや数は、人それぞれに異なるものであり、収納空間に対する収納物(3)の大きさは様々である。したがって、例えば、印鑑と通帳だけを収納したいと考える場合には、収納物(3)に対して収納空間が大きくなり、余剰空間が甚だ大きくなる。そのため、枕(1)を動かしたときに、収納物(3)が収納空間内で大きく移動して収納空間の内壁に激しく衝突し、不快音が発生したり、収納物(3)が破損したりするおそれがあった（図９参照）。
【０００６】
それゆえに、この発明の解決課題は、収納空間内における収納物の移動を抑制することによって、不快音の発生や、収納物の破損を防止できる枕を提供することである。
【課題を解決するための手段】
【０００７】
請求項１に記載した発明は、「上層クッション部(12)と、下層クッション部(14)とを備える枕(10)であって、上層クッション部(12)と下層クッション部(14)との間には、これらのクッション部によって収納物(A)を挟持可能なように収納部(16)が形成されている、枕(10)。」である。
【０００８】
この発明では、上層クッション部(12)と下層クッション部(14)との間に収納部(16)が形成されていることにより、収納物(A)は、上層クッション部(12)と下層クッション部(14)とによって挟み込まれるようにして収納される。
【０００９】
請求項２に記載した発明は、請求項１に記載された枕において、「収納部(16)は、上層クッション部(12)と下層クッション部(14)との間に取り付けられた柔軟性を有する袋状体(16a)によって構成されている」ことを特徴とする。
【００１０】
この発明においても、収納物(A)は、上層クッション部(12)と下層クッション部(14)とによって挟み込まれるようにして収納される。
【００１１】
請求項３に記載した発明は、請求項１または２に記載した枕(10)において、「上層クッション部(12)の中央部の直下に収納部(16)の最奥端部が配置されている」ことを特徴とする。
【００１２】
この発明では、収納部(16)の最奥端部が上層クッション部(12)の中央部の直下に配置されているので、収納物(A)を収納部(16)の最奥端部に収納するだけで、これを上層クッション部(12)の中央部の直下に容易に位置決めすることができる。
【００１３】
請求項４に記載した発明は、「収納物(A)を収納する袋状の収納部(42)と、収納部(42)の上方に配設された袋状の枕収容部(44)と、収納部(42)の下方に配設されたクッション材(46)とを備える、枕カバー(40)」である。
【００１４】
この発明において、枕収容部(44)に枕(X)を収容すると、枕(X)とクッション材(46)との間に収納部(42)が配置される。これにより、収納物(A)は、枕(X)とクッション材(46)とによって挟み込まれるようにして収納される。
【００１５】
請求項５に記載した発明は、請求項４に記載した枕カバー(40)において、「枕収容部(44)の中央部の直下に収納部(42)の最奥端部が配置されている」ことを特徴とする。
【００１６】
この発明では、収納部(42)の最奥端部が、枕収容部(44)の中央部の直下に位置することにより、収納物(A)を枕収容部(44)の中央部の直下に容易に位置決めすることができる。
【発明の効果】
【００１７】
請求項１、２および３に記載した発明によれば、上層クッション部(12)と下層クッション部(14)とによって収納物(A)を挟み込むことができるので、収納部(16)の内部における収納物(A)の移動を抑制できる。これにより、収納部(16)の内部で不快音が発生したり、収納物(A)が破損したりするのを防止できる。また、上層クッション部(12)および下層クッション部(14)がクッション性を有していることより、収納部(16)に収納物(A)を収納した状態であっても、枕(X)の外観に目立った膨らみは生じない。したがって、外部から一見しただけでは、収納物(A)が収納されていることを判別することは容易ではなく、防犯対策上も有利である。
【００１８】
請求項３に記載した発明によれば、頭が載置される上層クッション部(12)の中央部の直下に収納物(A)を配置することができるので、収納部(16)に携帯電話を入れて、これを目覚まし代わりに用いる場合には、頭の真下でアラームを鳴らすことができ、アラームの音を聞き取りやすくなることから、優れた目覚まし効果を得ることができる（図４参照）。
【００１９】
請求項４および５に記載した発明によれば、枕収容部(44)に収納された枕(X)とクッション材(46)とによって収納物(A)を挟み込むことができるので、収納部(16)の内部における収納物の移動を抑制できる。
【発明を実施するための最良の形態】
【００２０】
以下に、本発明の好適な実施例を図に基づいて詳細に説明する。
【実施例１】
【００２１】
本実施例の枕(10)は、貴重品や携帯電話などの収納物(A)（図４参照）を収納する機能を有するものであり、図１ないし図３に示すように、上層クッション部(12)と、下層クッション部(14)と、これらの間に配設された収納部(16)とで構成されている。
【００２２】
上層クッション部(12)は、人の頭が載置される部分であり、袋状体(12a)とクッション材(18)とによって、左右方向へ延びる直方体状に形成されている。
【００２３】
袋状体(12a)は、クッション材(18)を収容して、上層クッション部(12)の全体形状を規定するものであり、通気性と柔軟性とを有する一般的な枕素材によって構成されている。袋状体(12a)としては、通気性と吸湿性に優れた織布を用いることが望ましいが、用途によっては布状合成樹脂や不織布などを用いることもできる。
【００２４】
クッション材(18)は、頭を自然な状態で保持する機能を有するものであり、適度なクッション性と保形性とを有する材料によって構成されている。クッション材(18)としては、例えば、綿、低反発ウレタン、そば殻、パイプ（弾性を有する合成樹脂製の小パイプを短く切ったもの）、ビーズ、ポリエステルチップ、合成樹脂のゲル状体などを用いることができる。
【００２５】
下層クッション部(14)は、上層クッション部(12)と同様に、袋状体(14a)と、袋状体(14a)内に収容されたクッション材(18)とによって、左右方向へ延びる直方体状に形成されている。
【００２６】
下層クッション部(14)の平面形状は、上層クッション部(12)と完全に重ね合わせることのできるように、上層クッション部(12)の平面形状とほぼ同じに設定されており、上層クッション部(12)の厚みは、就寝時に収納物(A)による違和感が生じないように、収納物(A)を完全に包み込むことのできる程度に厚めに設定されている。
【００２７】
なお、袋状体(14a)およびクッション材(18)の材質は、上層クッション部(12)を構成する袋状体(12a)およびクッション材(18)の材質と同じものであってもよいし、異なるものであってもよい。
【００２８】
収納部(16)は、図４に示すように、収納物(A)を収納するための空間であり、上層クッション部(12)と下層クッション部(14)との間において、これらのクッション部(12)および(14)によって収納物(A)を挟持可能なように形成されている。
【００２９】
すなわち、収納部(16)は、上層クッション部(12)と下層クッション部(14)とによって挟まれた領域の右半分（図１における右半分を意味する。）に、織布または不織布などの柔軟性のある材料からなる袋状体(16a)を配設することによって構成されており、収納部(16)の高さは、収納物(A)の高さよりも低く設定されている。そして、袋状体(16a)の底部すなわち収納部(16)の最奥端部が、上層クッション部(12)の中央部の直下に配置されている。
【００３０】
また、袋状体(16a)すなわち収納部(16)の右側縁には、収納物(A)を出し入れするための開口部(20)が形成されており、この開口部(20)には、「開閉手段」としてのファスナー(22)が取り付けられている。
【００３１】
なお、本実施例では、袋状体(16a)によって収納部(16)を構成しているが、袋状体(16a)が無くても、上層クッション部(12)と下層クッション部(14)との間に収納空間を確保することは可能であり、その場合には、その収納空間の全体を収納部(16)と観念することができる。また、袋状体(16a)が無い場合でも、上層クッション部(12)と下層クッション部(14)とを所定箇所で縫い合わせること等によって、収納部(16)の最奥端部を規定することが可能であり、その最奥端部を上層クッション部(12)の中央部の直下に配置することが可能である。
【００３２】
また、開口部(20)の「開閉手段」は、収納物(A)が誤って収納部(16)から出てくるのを阻止し得るものであればよく、ファスナー(22)に代えて、面ファスナーやボタンなどを用いるようにしてもよい。袋状体(16a)が無い場合には、上層クッション部(12)と下層クッション部(14)との間に確保された収納空間が収納部(16)となるので、この収納空間の右側縁に開口部が形成され、この開口部に「開閉手段」が取り付けられることになる。
【００３３】
さらに、開口部(20)の位置は、適宜変更可能であり、収納部(16)の前側縁、収納部(16)の後側縁、上層クッション部(12)の上面、下層クッション部(14)の下面などに開口部(20)を形成してもよい。
【００３４】
本実施例の枕(10)を製造する際には、図１ないし図３に示すように、まず、上層クッション部(12)を構成する袋状体(12a)と、下層クッション部(14)を構成する袋状体(14a)とを別々に形成する。このとき、各袋状体(12a)および(14a)の外周縁には、「縫い代」としての帯状の襠部(12b)および(14b)を形成しておく。続いて、襠部(12b)および(14b)を縫い合わせることによって、袋状体(12a)と袋状体(14a)とを接合し、一つの枕本体(10a)を構成する。また、袋状体(12a)と袋状体(14a)とによって挟まれた領域の右半分に袋状体(16a)を縫い付けて収納部(16)を構成するとともに、袋状体(16a)の開口部(20)にファスナー(22)を取り付ける。そして、袋状体(12a)および袋状体(14a)にクッション材(18)を収容し、枕(10)を完成させる。
【００３５】
なお、本実施例では、上層クッション部(12)を構成する袋状体(12a)と下層クッション部(14)を構成する袋状体(14a)とを接合することによって枕本体(10a)を構成しているが、まず、枕本体(10a)となる一つの袋を形成し、この袋の内部空間を布地などで仕切ることによって、袋状体(12a)と袋状体(14a)とを構成してもよい。
【００３６】
枕(10)から収納物(A)を出し入れする際には、ファスナー(22)を操作して開口部(20)を開閉する。収納部(16)に複数の収納物(A)を収納する際には、収納物(A)どうしが重ならないように配置することで、枕(10)の高さを均一にすることができ、普通の枕と変わらない使用感を得ることができる。
【００３７】
また、図５に示すように、収納部(16)の最奥端部にアラーム付の携帯電話を収納すると、頭の真下でアラームを鳴らすことができ、アラームの音を聞き取りやすくなるので、優れた目覚まし効果を得ることができる。
【実施例２】
【００３８】
本実施例の枕カバー(40)は、収納物(A)を収納する機能を有するものであり、図６ないし８に示すように、収納物(A)を収納する袋状の収納部(42)と、収納部(42)の上方に配設され、枕(X)を収納する袋状の枕収容部(44)と、収納部(42)の下方に配設されたクッション材(46)と、クッション材(46)を収容する袋状のクッションカバー(48)とによって構成されている。
【００３９】
収納部(42)、枕収容部(44)およびクッションカバー(48)は、上布地(50)と下布地(52)とで構成された略直方体状の袋状のカバー本体(54)を、仕切布(56)で仕切ることによって構成されており、収納部(42)は、枕収容部(44)とクッションカバー(48)とによって挟まれた領域の右半分に確保されている。
【００４０】
そして、収納部(42)の右側縁には、収納物(A)を出し入れするための開口部(58)が形成されており、この開口部(58)には、ファスナー(60)が取り付けられている。また、枕収容部(44)の右側縁には、枕(X)を出し入れするための開口部(62)が形成されており、この開口部(62)には、ファスナー(64)が取り付けられている。なお、実施例１と同様に、ファスナー(60)または(64)に代えて、面ファスナーやボタンなどが用いられてもよい。
【００４１】
クッション材(46)は、実施例１における下層クッション部(14)に対応するものであり、枕カバー(40)の構成部材として、クッションカバー(48)内に収容されている。
【００４２】
カバー本体(54)および仕切布(56)の材料としては、通気性と柔軟性とを有する一般的な枕素材が用いられ、クッション材(46)の材料としては、実施例１のクッション材(18)と同様に、適度なクッション性と保形性とを有するものが用いられる。
【００４３】
枕カバー(40)を使用する際には、開口部(62)のファスナー(64)を開いて枕収容部(44)内に枕(X)を収容し、ファスナー(64)を閉じる。また、開口部(58)のファスナー(60)を開いて収納部(42)内に収納物(A)を収納し、ファスナー(60)を閉じる。
【００４４】
なお、本実施例では、収納部(42)の右側縁に開口部(58)を形成しているが、この開口部(58)を塞ぐとともに、収納部(42)の上面を構成する仕切布(56)に別の開口部を形成し、この開口部と枕収容部(44)の開口部(62)とを通して収納物(A)を出し入れするようにしてもよい。このようにすれば、外部からは普通の枕カバーのように見えるため、空き巣が侵入した場合などにおける防犯性を高めることができる。
【図面の簡単な説明】
【００４５】
【図１】実施例１に係る枕を示す斜視図である。
【図２】図１におけるII-II断面図である。
【図３】図１におけるIII-III断面図である。
【図４】収納物を収納した状態を示す断面図である。
【図５】枕の使用状態（携帯電話を収納した状態）を示す縦断面図である。
【図６】実施例２に係る枕カバーを示す斜視図である。
【図７】図６におけるVII-VII断面図である。
【図８】図６におけるVIII-VIII断面図である。
【図９】従来技術を示す縦断面図である。
【符号の説明】
【００４６】
(10)…  枕
(12)…  上層クッション部
(14)…  下層クッション部
(16)…  収納部
(18)…  クッション材
(40)…  枕カバー
(42)…  収納部
(44)…  枕収納部
(46)…  クッション材
(54)…  カバー本体
【図１】
2007029294.tif 000003
【図２】
2007029294.tif 000004
【図３】
2007029294.tif 000005
【図４】
2007029294.tif 000006
【図５】
2007029294.tif 000007
【図６】
2007029294.tif 000008
【図７】
2007029294.tif 000009
【図８】
2007029294.tif 000010
【図９】
2007029294.tif 000011